(57)【要約】【課題】ユーザが体調や生活習慣に合わせて、健康的な食生活を継続して送れることを可能にする食生活支援システムを提供する。【解決手段】ユーザの体調または食生活を含む生活習慣情報を記録し、前記情報管理機が当該ユーザの記録した体調または食生活を含む生活習慣情報に基づいて識別マークと摂取することが適当な栄養素を表示、また前記識別マークや前記摂取することが適当な栄養素の表示に関連した野菜や果物情報、飲食店情報、レシピ情報の表示を行うユーザの食生活支援システム。前記食生活支援システムに係る、野菜や果物情報、前記飲食店情報、前記レシピ情報を保持する野菜果物情報データベースと、飲食店情報データベースと、レシピ情報データベースは、システム提供者と共に各情報提供者が管理することもでき、前記各情報利用者が前記識別マークに対応した商品作りやメニュー開発を行い、自主登録出来るシステムを備えていることも特徴とする。【選択図】図１
2014120145.tif 000002
【特許請求の範囲】
【請求項１】
システム提供者の管理サーバと、ユーザ端末装置と、情報提供者端末装置とを有する食生活支援情報提供システムであって、前記管理サーバが、ユーザによって登録された食生活を含む生活習慣情報と、体調情報とを格納するユーザ情報データベースと、ユーザによって登録された前記ユーザ情報データベースに基づいて識別マークと、摂取することが適当な栄養素とを表示する情報管理機と、前記識別マークと前記栄養素表示に関連した野菜果物情報を格納する野菜果物情報データベースと、前記識別マークと前記栄養素表示に関連した飲食店情報を格納する飲食店情報データベースと、前記識別マークと前記栄養素表示に関連したレシピ情報を格納するレシピ情報データベースと、ユーザ端末装置からユーザによって登録された食生活を含む生活習慣情報と、体調情報とを受信する受信手段と、前記受信手段によって受信された食生活を含む生活習慣情報と体調情報に基づいて取得する識別マークと、摂取することが適当な栄養素情報とを取得する取得手段と、前記識別マークと前記摂取することが適当な栄養素情報に関連して前記野菜データベースに格納されている野菜果物情報と、前記飲食店データベースに格納されている飲食店情報と、前記レシピ情報データベースに格納されているレシピ情報とを取得する取得手段と、前記識別マークと摂取することが適当な栄養素情報の取得手段によって取得された識別マークと栄養素情報を前記ユーザ端末装置に送信する情報提供手段と、前記識別マークと摂取することが適当な栄養素情報に関連して前記野菜データベースに格納されている野菜果物情報と、前記飲食店データベースに格納されている飲食店情報と、前記レシピ情報データベースに格納されているレシピ情報の取得手段によって取得された野菜果物情報と、飲食店情報と、レシピ情報とを前記ユーザ端末装置に送信する情報提供手段とを備えることを特徴とする食生活支援情報提供システム。
【請求項２】
ユーザによって登録された食生活を含む生活習慣情報と、体調情報とを格納するユーザ情報データベースと、ユーザによって登録された前記ユーザ情報データベースに基づいて識別マークと、摂取することが適当な栄養素とを表示する情報管理機と、前記識別マークと前記栄養素表示に関連した野菜果物情報を格納する野菜果物情報データベースと、前記識別マークと前記栄養素表示に関連した飲食店情報を格納する飲食店情報データベースと、前記識別マークと前記栄養素表示に関連したレシピ情報を格納するレシピ情報データベースと、システム提供者と各情報提供者によって、前記野菜果物情報データベースと、前記飲食店情報データベースと、前記レシピ情報データベースとを情報登録ができる情報登録手段とを備えることを特徴とする、請求項１に記載の管理サーバ。
【請求項３】
ユーザによって登録された前記ユーザ情報データベースに基づいて取得する識別マークと、摂取することが適当な栄養素情報とを取得する取得手段と、前記取得した識別マークと摂取することが適当な栄養素情報に関連して前記野菜果物情報データベースに格納されている野菜果物情報と、前記飲食店データベースに格納されている飲食店情報と、前記レシピ情報データベースに格納されているレシピ情報とを取得する取得手段と、前記識別マークと摂取することが適当な栄養素情報の取得手段によって取得された識別マークと栄養素情報を前記ユーザ端末装置に送信する情報提供手段と、前記識別マークと摂取することが適当な栄養素情報に関連して前記野菜果物情報データベースに格納されている野菜果物情報と、前記飲食店データベースに格納されている飲食店情報と、前記レシピ情報データベースに格納されているレシピ情報の取得手段によって取得された野菜果物情報と、飲食店情報と、レシピ情報とを前記ユーザ端末装置に送信する情報提供手段とを備える、ことを特徴とする、請求項１、または２に記載の情報管理機。
【請求項４】
請求項１、２または３に記載の情報管理機において、ユーザ端末装置へ送信された識別マークに対して、野菜果物情報と、レシピ情報と、飲食店情報とをユーザが選択をしたときに選択結果をユーザ端末装置に情報を送信する送信手段を備え、前記ユーザ端末装置のユーザ受信した野菜果物情報とレシピ情報と、飲食店情報とのいずれかの受信結果に含まれる一覧の中から所望の情報を選択することを特徴とする前記識別マーク関連情報および前記識別マークのおすすめ情報を提供するシステム。
【発明の詳細な説明】
【技術分野】
【０００１】本発明は、ユーザの健康的な食生活を支援することを目的とした、食生活支援情報提供システムシステムに係り、ユーザの体調または食生活を含む生活習慣情報を記録、前記ユーザの記録した情報に基づいて識別マークおよび摂取することが適当な栄養素情報を表示、前記栄養素情報に基づいた野菜や果物情報、前記識別マークの利用または前記栄養素情報で表示された栄養素を含む食事メニューを提供する飲食店情報、前記識別マークの利用または前記栄養素情報で表示された栄養素を含むレシピ情報を紹介する食生活支援情報提供システムに関する。
【背景技術】
【０００２】生活習慣病患者とその予備軍は増加の一途を辿っており、その多くは食事制限が必要である。また、このような社会背景から健康維持を希望する人達も増え、生活習慣病患者やその予備軍に関わらず、健康的な食生活への市場ニーズが高まっている。このような状況下、最近では個人の食事や栄養管理を支援するビジネスが登場している。【０００３】特許文献１には、ユーザが自身の無線端末から身体情報や生活習慣情報を入力すると当該ユーザに最適な所要栄養量が算出され、さらに、ユーザが所望の食材や調理方法を入力すると、このユーザの嗜好が反映された最適メニューを紹介するシステムが開示されている。【０００４】特許文献２には、携帯電話機がユーザの体温、脈拍数、体脂肪率等の健康データを測定して健康管理サーバに送信し、健康管理サーバは、受信した健康データに基づいてユーザの健康状態を解析し、この解析結果にもとづいて、献立情報データベースから献立データを抽出してユーザに紹介する技術が開示されている。【０００５】特許文献３には、ユーザの飲食物摂取履歴、健康状態、運動量、位置情報、歩行距離等の情報をユーザが携帯端末を利用して健康管理サーバに送信し、健康管理サーバは、受信したユーザデータを記憶、記憶した情報を参照し、各ユーザに煩雑な入力操作を強いることなく適切な食事メニュー、適切な食事を提供する飲食店を紹介するシステムが開示されている。
【先行技術文献】
【特許文献】
【０００６】
【特許文献１】特開２００７−５８３０８号公報
【特許文献２】特開２００６−７２６６５３号公報
【特許文献３】特開２００８−２７６４７２号公報
【発明の概要】
【発明が解決しようとする課題】
【０００７】  生活習慣病患者とその予備軍、また健康維持を希望する人達（本願ではこれらの人々を総称して「ユーザ」という）においては、食事制限や健康的な食生活を継続的に送ることが望まれている。そのためには、利用するユーザにとっては簡単な操作や直感的な表現、ユーザが継続的に利用できるだけの十分な情報提供が行われる食生活支援情報を提供するシステムが必要である。【０００８】しかしながら、従来の技術やシステムは、ユーザに対して煩雑な情報入力を求めたり、仮にユーザの入力操作が簡単であっても、前記ユーザの入力操作に対して提供する情報量が十分ではなく、前記ユーザが当該システムを継続利用しない問題要因がある。【０００９】このため、上記問題要因を解決するために、インターネット等の通信網の発達と、これにアクセスできる各種ユーザ端末装置の環境が整備されつつある現在の状況下において、ユーザの体調または食生活を含む生活習慣情報を記録し、前記体調や所奥生活を含む生活習慣情報に基づいて識別マークおよび摂取することが適当な栄養素情報を表示、また前記識別マークや前記栄養素情報に関連する各種食生活支援情報を自社および情報提供者とともに十分量を作成し提供する食生活支援情報提供システムを提供することを目的とする。
【課題を解決するための手段】
【００１０】本発明の食生活支援情報提供システムは、システム提供者の管理サーバと、ユーザ端末装置と、情報提供者端末装置とを有する食生活支援情報提供システムであって、前記管理サーバが、ユーザによって登録された食生活を含む生活習慣情報と、体調情報とを格納するユーザ情報データベースと、ユーザによって登録された前記ユーザ情報データベースに基づいて識別マークと、摂取することが適当な栄養素とを表示する情報管理機と、前記識別マークと前記栄養素表示に関連した野菜果物情報を格納する野菜果物情報データベースと、前記識別マークと前記栄養素表示に関連した飲食店情報を格納する飲食店情報データベースと、前記識別マークと前記栄養素表示に関連したレシピ情報を格納するレシピ情報データベースと、ユーザ端末装置からユーザによって登録された食生活を含む生活習慣情報と、体調情報とを受信する受信手段と、前記受信手段によって受信された食生活を含む生活習慣情報と体調情報に基づいて取得する識別マークと、摂取することが適当な栄養素情報とを取得する取得手段と、前記識別マークと前記摂取することが適当な栄養素情報に関連して前記野菜データベースに格納されている野菜果物情報と、前記飲食店データベースに格納されている飲食店情報と、前記レシピ情報データベースに格納されているレシピ情報とを取得する取得手段と、前記識別マークと摂取することが適当な栄養素情報の取得手段によって取得された識別マークと栄養素情報を前記ユーザ端末装置に送信する情報提供手段と、前記識別マークと摂取することが適当な栄養素情報に関連して前記野菜データベースに格納されている野菜果物情報と、前記飲食店データベースに格納されている飲食店情報と、前記レシピ情報データベースに格納されているレシピ情報の取得手段によって取得された野菜果物情報と、飲食店情報と、レシピ情報とを前記ユーザ端末装置に送信する情報提供手段とを備えることを特徴とする。【００１１】前記ユーザの体調または食生活を含む生活習慣情報を記録するデータベースは、ユーザの体調および食生活に関する項目および識別マークを記録、また前記ユーザの体調または食生活を含む生活習慣情報を記録するデータベースへの情報入力は随時可能であり、ユーザの情報入力有無に関わらず、少なくとも一日一回はユーザの情報を記録するものである。【００１２】前記栄養素データベースは、ユーザの体調および食生活に関する項目、前記ユーザの体調および食生活に関する項目に対して摂取適当な栄養素情報を記録するものである。【００１３】前記情報管理機は、前記ユーザの体調または食生活を含む生活習慣情報を記録するデータベースと前記栄養素データベースの情報を用いて、ユーザの識別マークを表示、また表示した前記識別マークに対応した情報、野菜や果物情報、飲食店情報、レシピ情報などを前記識別マークに関連付けて表示することを特徴としたものである。【００１４】前記野菜果物情報データベースと、前記飲食店情報データベースと、前記レシピ情報データベースはシステム提供者と共に各情報提供者が管理することもでき、前記各情報利用者が前記識別マークに対応した商品作りやメニュー開発を行い、自主登録出来るシステムを備えていることも特徴とする。
【発明の効果】
【００１５】本発明の食生活支援情報提供システムによれば、ユーザはユーザの体調または食生活を含む生活習慣情報を記録することで、前記情報管理機が当該ユーザの記録した情報に基づいて識別マークと摂取することが適当な栄養素の表示、また前記識別マークや前記摂取することが適当な栄養素の表示を基に野菜や果物情報、飲食店情報、レシピ情報などの健康的な食生活を送るために重要な情報を受けることもできるため、前記ユーザは記録したユーザの体調または食生活を含む生活習慣情報にあった情報選択が容易となり、健康的な食生活を送ることが可能となる。【００１６】また、本発明では、前記情報管理機がユーザの記録したユーザの体調または食生活を含む生活習慣情報を前記識別マークとして簡潔に表現することで、各情報提供者が前記識別マークに対応した情報提供やサービス開発を行うことが容易となり、また前記各情報提供者が自主的に情報登録できるシステムも合わせて備えることでユーザへ提供する情報およびサービス量を見込むことができ、その結果、ユーザのシステム継続利用を促すことも可能となる。
【図面の簡単な説明】
【００１７】
【図１】本発明の実施形態に係る食生活支援情報提供システムの構成の一例示を示す図である。
【図２】ユーザの生活習慣登録情報と、体調登録情報とを記憶するユーザ情報データベースに格納される情報の一例を示す図である。
【図３】野菜果物情報データベースに格納される情報の一例を示す図である。
【図４】飲食店情報データベースに格納される情報の一例を示す図である。
【図５】レシピ情報データベースに格納される情報の一例を示す図である。
【図６】情報提供者と、システム提供者との業務処理フローチャートの一例を示す図である。
【発明を実施するための形態】
【００１８】  以下、本発明の実施形態に係る食生活支援情報提供システムについて図面を参照しながら説明する。
【００１９】図１は、本発明の実施形態に係る食生活支援情報提供システムの構成の一例を示す。食生活支援情報提供システムは、ユーザ端末装置１とシステム提供者管理サーバ２、情報提供者端末装置３で構成される。前記ユーザ端末装置１および前記情報提供者端末装置３はパーソナルコンピュータ、スマートフォン、携帯電話機、ＰＨＳ、ＰＤＡなどである。
【００２０】ユーザ端末装置１や情報提供者端末装置３は、インターネットや電話回線等のネットワーク１４を介して、システム提供者の管理サーバ２へ情報を送信する。
【００２１】ユーザ端末装置１は、ユーザ情報入力画面４より生活習慣登録７や体調登録８を行い、インターネットや電話回線等のネットワーク１４を介して、ユーザ情報データベース１８へ情報発信することができる。また、ユーザ端末装置１はＷｅｂクライアントとしての機能も有し、ユーザ情報データベース１８が受信および記録した情報に基づいて情報管理機１９から送信された識別マーク９や栄養素情報１０をユーザ体調診断結果５としてディスプレイに表示することができる。
【００２２】ユーザ端末装置１のユーザは、情報管理機１９から送信された識別マーク９や栄養素情報１０に関連したユーザおすすめ情報６の中から野菜果物情報１１、飲食店情報１２、レシピ情報１３の情報を選択し情報を受け取ることができる。
【００２３】システム提供者の管理サーバ２は、情報管理画面１５と、ユーザ情報データベース１８と、野菜果物情報データベース２０と、飲食店情報データベース２１と、レシピ情報データベース２２と、情報管理機１９とを有する。
【００２４】情報登録管理画面１５はユーザ情報１６やおすすめ情報１７を登録することができ、ユーザ情報１６から登録された情報はユーザ情報データベース１８へ反映、おすすめ情報１７から指定登録された情報は野菜果物情報データベース２０、飲食店情報データベース２１、レシピ情報データベース２２のいずれかに反映される。
【００２５】ユーザ情報データベース１８は、情報登録管理画面１５からユーザ情報１６やおすすめ情報１７の情報登録を受付、またユーザ情報入力画面４から発信される情報である生活習慣登録７と、体調登録８とを記録し、情報管理機１９へ情報を発信する。
【００２６】情報管理機１９は、ユーザ情報データベース１８から受信した情報を基に識別マーク９や栄養素情報１０を算出し、ユーザ端末装置１へ前記識別マーク９や前記栄養素情報１０をユーザ体調診断結果５として発信する。また、野菜果物情報データベース２０と、飲食店情報データベース２１、レシピ情報データベース２２からも前記ユーザ情報データベース１８から受信した情報を基に相互にデータを送受信することができ、野菜果物情報１１と、飲食店情報１２と、レシピ情報１３とをユーザおすすめ情報６として、ユーザ端末装置１へ発信する。
【００２７】野菜果物情報データベース２０は、おすすめ情報１７から登録された情報と、インターネットや電話回線等のネットワーク１４を介して、情報提供者端末装置３の野菜果物情報登録管理画面２３の情報登録２５で登録された情報を受信し記憶、情報管理機１９と相互にデータを送受信する。
【００２８】飲食店情報データベース２１は、おすすめ情報１７から登録された情報と、インターネットや電話回線等のネットワーク１４を介して、情報提供者端末装置３の飲食店情報登録管理画面２６の情報登録２８で登録された情報を受信し記憶、情報管理機１９と相互にデータを送受信する。
【００２９】レシピ情報データベース２２は、おすすめ情報１７から登録された情報と、インターネットや電話回線等のネットワーク１４を介して、情報提供者端末装置３のレシピ情報登録管理画面２９の情報登録３１で登録された情報を受信し記憶、情報管理機１９と相互にデータを送受信する。
【００３０】情報提供者端末装置３の野菜果物情報登録管理画面２３と、飲食店情報登録管理画面２６と、レシピ情報登録管理画面２９とは、情報の不正登録を防ぐため、情報登録の際には登録者ＩＤやＰＷＤの入力を要する。
【００３１】以下、各データベースに格納される情報について詳細に説明する。図２は、図１のユーザ情報データベース１８に格納される情報の一例を示す。カテゴリ区分３２は、ユーザの体調または食生活を含む生活習慣情報の大カテゴリである。ＮＯ区分３３は、前記カテゴリ区分３２に属する登録項目３４の登録項番である。前記登録項目区分３４は、ユーザの体調または食生活を含む生活習慣情報である。また前記登録項目区分３４は、図１の情報登録管理画面１５のユーザ情報１６より項目登録の追加および修正が可能である。対応すること区分３５および表示栄養素区分３６は、前記登録項目３４に対して紐づく情報である。
【００３２】図３は、図１の野菜果物情報データベース２２に情報を格納するための管理画面の例を示す。管理両面メニュー３７は、登録された野菜果物情報一覧リストの閲覧と、野菜果物情報を追加登録と、管理者の追加修正と、管理者の利用変更とを行うメニューである。野菜果物情報登録項目３８は、図１のユーザおすすめ情報６の野菜果物情報１１への表示反映実行有無と、野菜の表示名称と、野菜の効能と、野菜の旬と、野菜の栄養素情報と、野菜の産地、野菜の保存方法、野菜の食べ方などで構成される。
【００３３】図４は、図１の飲食店情報データベース２３に格納される情報の一例を示す。店名区分３９と、店舗ＵＲＬ区分４０と、店舗情報区分４１とで登録された各情報は、図１のユーザおすすめ情報６の飲食店情報１２で表示する情報である。対応項目区分４２は、図１の情報管理機１９がユーザ情報データベース１８から受信した情報を基に算出した識別マークに対して、前記情報管理機１９がユーザおすすめ情報６の前記飲食店情報１２への表示実行の有無の判断および当該飲食店情報１２にて表示する特典表示として利用する情報である。
【００３４】図５は、図１のレシピ情報データベース２３に格納される情報の一例を示す。レシピＵＲＬ区分４３と、レシピ名区分４４と、レシピ材料４５とレシピ作り方４６と、レシピコメント４８とで登録された各情報は、ユーザおすすめ情報６のレシピ情報１３で表示する情報である。対応項目区分４８は、図１の情報管理機１９がユーザ情報データベース１８から受信した情報を基に算出した識別マークに対して、前記情報管理機１９がユーザおすすめ情報６の飲食店情報１３への表示実行の有無を判断する際に利用する情報である。
【００３５】図６は、図１で示した情報提供者が情報提供者端末装置３から各情報提供者が自主的に情報登録および情報更新するまでの、前記情報提供者と、システム提供者との業務処理フローチャートの一例を示す。まず、情報登録を希望する情報提供者がシステム提供者へ情報登録希望をする（Ｓ６０１）。システム提供者は、前記情報提供者からの情報希望を受理（Ｓ６０２）、前記情報提供者へ情報登録希望者登録フォームを連絡する（Ｓ６０３）。前記情報提供者は、前記システム提供者からの情報登録希望者登録フォームを受理（Ｓ６０４）、前記情報登録希望者登録フォームに登録情報を入力または記入し前記システム提供者へ送信する（Ｓ６０５）。前記システム提供者は、前記情報提供者からの登録情報を受理（Ｓ６０６）、前記情報登録者の登録内容を確認し登録可否を判断し（Ｓ６０７）、登録可の場合はＩＤ／ＰＷＤの発行を行い、前記情報提供者へ連絡する（Ｓ６０８）。
【００３６】前記情報提供者は、前記システム提供者からのＩＤ／ＰＷＤ発行を受理（Ｓ６１０）した後、インターネットや電話回線等のネットワーク４９を介して、情報登録者画面へのアクセス（Ｓ６１１）および情報登録が可能となる（Ｓ６１２）。
【００３７】前記情報提供者は前記システム提供者より何らかの事由により登録判断が不可となった場合は、登録フォームの修正要求を受理、前記情報登録希望者登録フォームから再入力または再記入を行い、前記システム提供者へ連絡する（Ｓ６０９）。
【００３８】以上説明したように、本発明の食生活支援情報提供システムによれば、ユーザはユーザの体調または食生活を含む生活習慣情報を記録することで、前記情報管理機が当該ユーザの記録した情報に基づいて識別マークと摂取することが適当な栄養素の表示、また前記識別マークや前記摂取することが適当な栄養素の表示を基に野菜や果物情報、飲食店情報、レシピ情報などの健康的な食生活を送るために重要な情報を受けることもできるため、前記ユーザは記録したユーザの体調または食生活を含む生活習慣情報にあった情報選択が容易となり、健康的な食生活を送ることが可能となる。
【００３９】また、本発明では、前記情報管理機がユーザの記録したユーザの体調または食生活を含む生活習慣情報を前記識別マークとして簡潔に表現することで、各情報提供者が前記識別マークに対応した情報提供やサービス開発を行うことが容易となり、また前記各情報提供者が自主的に情報登録できるシステムも合わせて備えることでユーザへ提供する情報およびサービス量を見込むことができ、その結果、ユーザのシステム継続利用を促すことも可能となる。
【００４０】以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【産業上の利用可能性】
【００４１】本発明は、ユーザの体調または食生活を含む生活習慣情報の記録から識別マークを表示、合わせて野菜や果物情報、飲食店情報、レシピ情報を提供することで当該ユーザの消費行動を促進するサービスとして、また生産者やスーパーやメーカーなどの商品販売業者、飲食店、レシピ情報提供者の他者との差別化要素を提供することで市場の活性化を狙うことができる。
【符号の説明】
【００４２】１            ユーザ端末装置
２            システム提供者管理サーバ
３            情報提供者端末装置
４            ユーザ情報入力画面
５            ユーザ体調診断結果
６            ユーザおすすめ情報
７            生活習慣登録
８            体調登録
９            識別マーク
１０          栄養素情報
１１          野菜果物情報
１２          飲食店情報
１３          レシピ情報
１４          インターネットや電話回線等のネットワーク
１５          情報登録管理画面
１６          ユーザ情報
１７          おすすめ情報
１８          ユーザ情報データベース
１９          情報管理機
２０          野菜果物情報データベース
２１          飲食店情報データベース
２２          レシピ情報データベース
２３          野菜果物情報登録管理画面
２４          野菜果物情報登録者ＩＤ／ＰＷＤ入力
２５          野菜果物情報登録者情報登録
２６          飲食店情報登録管理画面
２７          飲食店情報登録者ＩＤ／ＰＷＤ入力
２８          飲食店情報登録者情報登録
２９          レシピ情報登録管理画面
３０          レシピ情報登録者ＩＤ／ＰＷＤ入力
３１          レシピ情報登録者情報登録
【図１】
2014120145.tif 000003
【図２】
2014120145.tif 000004
【図３】
2014120145.tif 000005
【図４】
2014120145.tif 000006
【図５】
2014120145.tif 000007
【図６】
2014120145.tif 000008